(57)【特許請求の範囲】
【請求項１】
ラダー型回路構成を有する送信側フィルタと、受信側フィルタとを有し、前記送信側フィルタの一端と、前記受信側フィルタとの一端とが共通接続されて、アンテナ端子に接続されるデュプレクサにおいて、
前記受信側フィルタは、入力端子と、第１，第２の受信出力端子と、圧電基板上において、弾性波伝搬方向に順に沿って配置された第４，第２，第１，第３，第５のＩＤＴと、第１〜第５のＩＤＴを挟むように設けられた第１，第２の反射器とをそれぞれ有する縦結合共振子型の第１，第２の弾性波フィルタ素子とを有しており、第１，第２の弾性波フィルタ素子が縦続接続されており、
第１，第２の弾性波フィルタ素子の第２のＩＤＴ同士が接続されており、
第１，第２の弾性波フィルタ素子の第３のＩＤＴ同士が接続されており、
第１の弾性波フィルタ素子の第２のＩＤＴの位相が、第１の弾性波フィルタ素子の第３のＩＤＴの位相に対して１８０度異ならされており、
前記第１の弾性波フィルタ素子の第１，第４及び第５のＩＤＴが入力端子に接続されており、
第２の弾性波フィルタ素子の第１のＩＤＴが、弾性波伝搬方向に分割することにより設けられた第１，第２分割ＩＤＴ部を有しており、
前記第２の弾性波フィルタ素子の前記第１分割ＩＤＴ部及び第４のＩＤＴが、第１の受信出力端子に接続されており、
前記第２の弾性波フィルタ素子の第２分割ＩＤＴ部、及び第５のＩＤＴが、第２の受信出力端子に接続されていることを特徴とする、デュプレクサ。
【請求項２】
ラダー型回路構成を有する送信側フィルタと、受信側フィルタとを有し、前記送信側フィルタの一端と、前記受信側フィルタとの一端とが共通接続されて、アンテナ端子に接続されるデュプレクサにおいて、
前記受信側フィルタは、入力端子と、第１，第２の受信出力端子と、縦結合共振子型の第１のフィルタ素子と、前記第１のフィルタ素子とは入力信号に対する出力信号の位相が１８０度異なる、縦結合共振子型の第２のフィルタ素子と、縦結合共振子型の第３のフィルタ素子と、前記第３のフィルタ素子とは入力信号に対する出力信号の位相差が１８０度異なる、縦結合共振子型の第４のフィルタ素子とを有し、
前記第１〜第４のフィルタ素子が前記入力端子に接続されており、該第１〜第４のフィルタ素子のＩＤＴの内、前記入力端子に接続されているＩＤＴが並列に接続されており、
前記第３のフィルタ素子が第１の受信出力端子に接続されており、第４のフィルタ素子が第２の受信出力端子に接続されており、
前記第３のフィルタ素子のＩＤＴの内、前記第１の受信出力端子に接続されているＩＤＴが、第１のフィルタ素子の対応するＩＤＴに直列接続されており、
前記第４のフィルタ素子のＩＤＴの内、前記第２の受信出力端子に接続されているＩＤＴが、第２のフィルタ素子の対応するＩＤＴに直列接続されていることを特徴とする、デュプレクサ。
【請求項３】
ラダー型回路構成を有する送信側フィルタと、受信側フィルタとを有し、前記送信側フィルタの一端と、前記受信側フィルタとの一端とが共通接続されて、アンテナ端子に接続されるデュプレクサにおいて、
前記受信側フィルタは、
入力端子と、第１，第２の受信出力端子と、
圧電基板と、前記圧電基板に形成されており、３ＩＤＴ型の縦結合共振子型の第１，第２の弾性波フィルタ部とを備え、
前記第１の弾性波フィルタ部が、弾性波伝搬方向に沿って順に配置された第２，第１，第３のＩＤＴを有し、第２の弾性波フィルタ部が、弾性波伝搬方向に沿って順に配置された第５，第４，第６のＩＤＴを有し、
第１の弾性波フィルタ部における入力信号に対する出力信号の位相差と、第２の弾性波フィルタ部における入力信号に対する出力信号の位相差とが１８０度異なるように第１〜第６のＩＤＴが構成されており、
前記第１、第４のＩＤＴが前記入力端子に接続されており、
前記第１の弾性波フィルタ部の第２，第３のＩＤＴが電気的に直列接続されており、かつ第１の受信出力端子に接続されており、
前記第２の弾性波フィルタ部の第５，第６のＩＤＴが電気的に直列接続されており、かつ第２の受信出力端子に接続されていることを特徴とする、デュプレクサ。
【請求項４】
縦続接続している信号ラインの内少なくとも１つの信号ラインを伝送する電気信号の位相が、縦続接続している残りの信号ラインを伝送する電気信号の位相に対して反転されている、請求項１に記載のデュプレクサ。
【請求項５】
前記送信側フィルタと、前記受信側フィルタとの各一端が共通接続されている共通接続点と、前記受信側フィルタとの間に直列に接続されている少なくとも１つの１ポート型弾性波共振子をさらに備えることを特徴とする、請求項１〜４のいずれか１項に記載のデュプレクサ。
【請求項６】
前記縦結合共振子型弾性波フィルタ及び１ポート型弾性波共振子が弾性表面波を用いたものであることを特徴とする、請求項１〜４のいずれか１項に記載のデュプレクサ。
【請求項７】
前記縦結合共振子型弾性波フィルタ及び１ポート型弾性波共振子が弾性境界波を用いたものであることを特徴とする、請求項１〜４のいずれか１項に記載のデュプレクサ。
【発明の詳細な説明】
【技術分野】
【０００１】
本発明は、例えば携帯電話機などの通信機器において、アンテナ端子に接続されるデュプレクサに関し、より詳細には、圧電基板上に複数のＩＤＴ電極を形成することにより構成された弾性波フィルタ装置を用いて構成された受信側フィルタを有するデュプレクサに関する。
【背景技術】
【０００２】
従来、携帯電話においてアンテナに接続されるＲＦ段では、小型化を図るために、部品の複合化が進んでいる。そのため、アンテナ端子、送信側帯域フィルタ、受信側帯域フィルタ、送信端子、受信端子及び出力端子を備えたデュプレクサが広く用いられている。さらに、近年、受信側帯域フィルタとして、平衡−不平衡変換機能を有するバランス型帯域フィルタを用いることにより、アンテナ端子、送信端子、第１受信出力端子、第２受信出力端子を備えたバランス型デュプレクサが開発されてきている。【０００３】
下記の特許文献１には、図１６に示すバランス型デュプレクサが開示されている。このバランス型デュプレクサ１００１では、アンテナ端子１００２に、送信側フィルタ１００３及び受信側フィルタ１００４が接続されている。送信側フィルタ１００３は、複数の弾性表面波共振子を梯子型すなわちラダー型に接続してなる回路構成を有する。このラダー型回路構成の送信側フィルタ１００３は、アンテナ端子１００２と接続されている側とは反対側の端部に、送信端子１００５を有する。【０００４】
他方、受信側フィルタ１００４は、アンテナ端子１００２に接続される入力端子１００６と、第１，第２の受信出力端子１００７，１００８とを有する。ここでは、入力端子１００６に、３ＩＤＴ型縦結合共振子型の弾性表面波フィルタ部１００９，１０１０が接続されている。そして、縦結合共振子型弾性表面波フィルタ部１００９，１０１０の後段に、それぞれ、３ＩＤＴ型縦結合共振子型弾性表面波フィルタ部１０１１，１０１２が接続されている。ここでは、縦結合共振子型弾性表面波フィルタ部１００９，１０１１が２段カスケード接続されており、同様に、縦結合共振子型弾性表面波フィルタ部１０１０，１０１２が、２段カスケード接続されている。【０００５】
そして、縦結合共振子型弾性表面波フィルタ部１０１１，１０１２の中央のＩＤＴの各一端が共通接続され、第１の受信出力端子１００７に、各他端が共通接続され、第２の受信出力端子１００８に電気的に接続されている。【０００６】
受信側フィルタ１００４では、入出力のインピーダンス比は１：１とされている。また、受信側フィルタ１００４では、入力電力が上記のように、縦結合共振子型弾性表面波フィルタ部１００９，１０１０に分散されるため、耐電力性を高めることが可能とされている。【０００７】
他方、下記の特許文献２には、図１７に示す３ＩＤＴ型の縦結合共振子型弾性表面波フィルタ１０２１が開示されている。縦結合共振子型弾性表面波フィルタ１０２１は、表面波伝搬方向に沿って配置された第１〜第３のＩＤＴ１０２２，１０２３，１０２４を有する。中央のＩＤＴ１０２３は、表面波伝搬方向に２分割することにより設けられた第１，第２分割ＩＤＴ部１０２３ａ，１０２３ｂを有する。ＩＤＴ１０２２，１０２４が入力端子１０２５に接続されており、第１分割ＩＤＴ部１０２３ａ及び第２分割ＩＤＴ部１０２３ｂが、それぞれ、第１，第２の出力端子１０２６，１０２７に接続されている。【０００８】
３ＩＤＴ型の縦結合共振子型弾性表面波フィルタ１０２１は、上述したバランス型デュプレクサの受信側フィルタとして用いることができる。ここでは、入出力のインピーダンス比は１より大きくされているため、上記のようなバランス型デュプレクサの受信側フィルタとして用いた場合、平衡出力すなわち第１，第２の受信出力を携帯電話機の次段の平衡入力に接続した場合、インピーダンスマッチングを容易に図ることができる。
【特許文献１】特開２００３−２４９８４２号公報
【特許文献２】特開２００３−３４７９６４号公報
【発明の開示】
【０００９】
特許文献１に記載のバランス型デュプレクサ１００１では、上記のように、受信側フィルタ１００４において耐電力性が高められているものの、該受信側フィルタ１００４の第１，第２の受信出力端子１００７，１００８を携帯電話機の次段の平衡入力に接続して用いた場合、入出力のインピーダンス比が１：１であるため、インピーダンス整合を図ることが困難であった。そのため、通過帯域内に、大きなリップルが現れるという問題があった。
【００１０】
他方、特許文献２に記載の縦結合共振子型弾性表面波フィルタ１０２１を、上記バランス型デュプレクサの受信側フィルタとして用いた場合には、前述したように、次段とのインピーダンスマッチングを容易に図ることができる。しかしながら、縦結合共振子型フィルタ１０２１は、耐電力性が十分でなく、従って、デュプレクサに用いた場合、送信側フィルタから受信側フィルタに回り込んだ電力により、縦結合共振子型弾性表面波フィルタ１０２１が破壊され易いという欠点があった。
【００１１】
特に、送信側フィルタが、複数の弾性表面波共振子をラダー型回路構成を有するように接続してなるラダー型の弾性表面波フィルタの場合には、比較的大きな電力が受信側フィルタに回り込むため、受信側フィルタの耐電力性は、より一層高いことが求められている。従って、縦結合共振子型弾性表面波フィルタ１０２１のように、耐電力性が十分でないフィルタは、このようなラダー型の弾性表面波フィルタを送信側フィルタとして用いたデュプレクサにおける受信側フィルタとして用いることはできなかった。
【００１２】
ここまで弾性表面波フィルタについて述べてきたが、これと類似したフィルタとして、弾性境界波フィルタがある。弾性境界波フィルタは、弾性表面波フィルタと同様に、圧電基板上に金属薄膜からなるＩＤＴ及び反射器を形成して構成するフィルタである。例えば、圧電単結晶基板の表面にＡｌなどからなるＩＤＴ、反射器で構成されるフィルタ電極を形成し、その上に圧電単結晶とは弾性定数もしくは密度の異なるＳｉＯ２などの十分厚い薄膜を形成したものである。作用原理や構成は、弾性表面波フィルタとほぼ同じであるが、弾性境界波フィルタは、素子形成されさた圧電基板面の上に固体層が設けられており、圧電基板と固体層の境界を伝搬する弾性波（弾性境界波）とＩＤＴを相互作用させて動作する。弾性表面波フィルタでは、基板表面を拘束しないように、空洞を有するパッケージを用いる必要があるが、弾性表面波フィルタでは、波が圧電単結晶基板と薄膜との境界面を伝搬するため、空洞を有するパッケージを必要としないという長所がある。
【００１３】
圧電基板の表面を伝搬する弾性表面波を用いて動作するのが弾性表面波フィルタであり、圧電基板と固体層の境界を伝搬する弾性境界波を用いて動作するのが弾性境界波であるが、両者の動作原理は基本的に同じであり、用いられる設計手法も類似している。
【００１４】
本明細書の後述の「発明を実施するための最良の形態」においては、弾性表面波フィルタを用いて説明するが、上記のように、電極構成をほぼ同じとされた弾性境界波を用いたものも、同様の作用効果を有する。
【００１５】
本発明の目的は、上述した従来技術の現状に鑑み、送信側フィルタと受信側フィルタとを有し、受信側フィルタが平衡−不平衡変換機能を有する、バランス型のデュプレクサであって、受信側フィルタの平衡出力を次段に接続した場合のインピーダンス整合を容易に図ることができるだけでなく、送信側フィルタから受信側フィルタへの電力の回り込みによる受信側フィルタの破壊が生じ難い、信頼性に優れたバランス型のデュプレクサを提供することにある。
【００１６】
本発明に係るデュプレクサは、ラダー型回路構成を有する送信側フィルタと、受信側フィルタとを有し、送信側フィルタの一端と、受信側フィルタの一端が共通接続されてアンテナ端子に接続されるデュプレクサであって、受信側フィルタが、アンテナ端子に接続される入力端子と、受信出力を取り出すための第１，第２の受信出力端子と、圧電基板と、圧電基板上に形成された複数のＩＤＴ電極とを備える、バランス型の弾性表面波フィルタ装置を用いて構成されている、バランス型のデュプレクサである。
【００２１】
第１の発明では、受信側フィルタは、入力端子と、第１，第２の受信出力端子と、圧電基板上において、弾性波伝搬方向に順に沿って配置された第４，第２，第１，第３，第５のＩＤＴと、第１〜第５のＩＤＴを挟むように設けられた第１，第２の反射器とをそれぞれ有する縦結合共振子型の第１，第２の弾性波フィルタ素子とを有しており、第１，第２の弾性波フィルタ素子が縦続接続されており、第１，第２の弾性波フィルタ素子の第２のＩＤＴ同士が接続されており、第１，第２の弾性波フィルタ素子の第３のＩＤＴ同士が接続されており、第１の弾性波フィルタ素子の第２のＩＤＴの位相が、第１の弾性波フィルタ素子の第３のＩＤＴの位相に対して１８０度異ならされており、前記第１の弾性波フィルタ素子の第１，第４及び第５のＩＤＴが入力端子に接続されており、第２の弾性波フィルタ素子の第１のＩＤＴが、弾性波伝搬方向に分割することにより設けられた第１，第２分割ＩＤＴ部を有しており、前記第２の弾性波フィルタ素子の前記第１分割ＩＤＴ部及び第４のＩＤＴが、第１の受信出力端子に接続されており、前記第２の弾性波フィルタ素子の第２分割ＩＤＴ部、及び第５のＩＤＴが、第２の受信出力端子に接続されていることを特徴とする。
【００２２】
第２の発明では、受信側フィルタは、入力端子と、第１，第２の受信出力端子と、縦結合共振子型の第１のフィルタ素子と、前記第１のフィルタ素子とは入力信号に対する出力信号の位相が１８０度異なる、縦結合共振子型の第２のフィルタ素子と、縦結合共振子型の第３のフィルタ素子と、前記第３のフィルタ素子とは入力信号に対する出力信号の位相差が１８０度異なる、縦結合共振子型の第４のフィルタ素子とを有し、前記第１〜第４のフィルタ素子が前記入力端子に接続されており、該第１〜第４のフィルタ素子のＩＤＴの内、前記入力端子に接続されているＩＤＴが並列に接続されており、前記第３のフィルタ素子が第１の受信出力端子に接続されており、第４のフィルタ素子が第２の受信出力端子に接続されており、前記第３のフィルタ素子のＩＤＴの内、前記第１の受信出力端子に接続されているＩＤＴが、第１のフィルタ素子の対応するＩＤＴに直列接続されており、前記第４のフィルタ素子のＩＤＴの内、前記第２の受信出力端子に接続されているＩＤＴが、第２のフィルタ素子の対応するＩＤＴに直列接続されていることを特徴とする。
【００２５】
第３の発明では、受信側フィルタは、入力端子と、第１，第２の受信出力端子と、圧電基板と、前記圧電基板に形成されており、３ＩＤＴ型の縦結合共振子型の第１，第２の弾性波フィルタ部とを備え、前記第１の弾性波フィルタ部が、弾性波伝搬方向に沿って順に配置された第２，第１，第３のＩＤＴを有し、第２の弾性波フィルタ部が、弾性波伝搬方向に沿って順に配置された第５，第４，第６のＩＤＴを有し、第１の弾性波フィルタ部における入力信号に対する出力信号の位相差と、第２の弾性波フィルタ部における入力信号に対する出力信号の位相差とが１８０度異なるように第１〜第６のＩＤＴが構成されており、前記第１、第４のＩＤＴが前記入力端子に接続されており、前記第１の弾性波フィルタ部の第２，第３のＩＤＴが電気的に直列接続されており、かつ第１の受信出力端子に接続されており、前記第２の弾性波フィルタ部の第５，第６のＩＤＴが電気的に直列接続されており、かつ第２の受信出力端子に接続されていることを特徴とする。
【００２６】
すなわち、第１〜第３の発明は、上記のように、受信側フィルタは、バランス型の縦結合共振子型弾性波フィルタであるが、いずれも、入出力インピーダンス比が１より大きくされる構造とされる。従って、次段の平衡入力に接続した場合に、インピーダンス整合を容易に図ることができる。
【００２７】
また、第１〜第３の発明では、入力端子に並列に複数のＩＤＴまたは複数の弾性波フィルタ部が並列に接続されているため、耐電力性も高められている。
【００２８】
本発明に係るデュプレクサのある特定の局面では、複数の縦結合共振子型の弾性波フィルタ部を縦続接続している信号ラインの内、少なくとも１つの信号ラインを伝送する信号ラインの位相が、残りの信号ラインを伝送する電気信号の位相に対して反転されるように構成されている。従って、第１，第２の受信出力端子間の振幅平衡度及び位相平衡度が改善される。
【００２９】
本発明に係るデュプレクサの他の特定の局面では、前記送信側フィルタと、前記受信側フィルタの各一端が、共通接続されている共通接続点と、前記受信側フィルタとの間に直列に接続されている少なくとも１つの共振子がさらに備えられる。この場合には、送信側フィルタと受信側フィルタの位相を整合させることができる。そのため位相整合素子としてのインダクタンス、キャパシタンスまたは伝送線路を設けなくてもよい。従って、実装面積を小さくすることができる。
【００３０】
本発明に係るデュプレクサは、上記弾性波として弾性表面波または弾性境界波のいずれが用いられてもよく、本発明のある特定の局面では、前記縦結合共振子型弾性波フィルタ及び１ポート型弾性波共振子が弾性表面波を用いたものである。また、本発明のデュプレクサの他の特定の局面では、前記縦結合共振子型弾性波フィルタ及び１ポート型弾性波共振子が弾性境界波を用いたものである。
（発明の効果）
【００３１】
本願の第１〜第３の発明では、ラダー型回路構成を有する送信側フィルタと、受信側フィルタとを有するデュプレクサであって、受信側フィルタが、入力端子と、第１，第２の受信出力端子とを有する、バランス型の弾性波フィルタ装置により構成されている。そして、受信側フィルタは、第１〜第３の発明において、入出力インピーダンス比が１以上とされているため、次段の平衡入力に第１，第２の受信出力端子を接続した場合のインピーダンスマッチングを容易に図ることができる。加えて、第１〜第３の発明では、受信側フィルタの入力端子には、複数のＩＤＴあるいは複数の弾性波フィルタ部が並列に接続されているため、耐電力性が高められている。よって、ラダー型回路構成を有する送信側フィルタを用いた場合、比較的大きな電力が受信側フィルタに回り込みがちであるが、本発明によれば、電力の回り込みによる受信側フィルタの破壊が生じ難いため、信頼性に優れたデュプレクサを提供することが可能となる。
【図面の簡単な説明】
【００３２】
【図１】図１は、本発明の第１の実施形態に係るデュプレクサの電極構造を示す模式的平面図である。
【図２】図２は、第１の実施形態及び従来例のデュプレクサにおける受信側フィルタの各伝送特性を示す図である。
【図３】図３は、図２に破線で示した従来のデュプレクサの電極構造を示す模式的平面図である。
【図４】図４は、第１の実施形態のデュプレクサ及び比較例のデュプレクサの受信側フィルタの伝送特性を示す図である。
【図５】図５は、図４に破線で示した比較例のデュプレクサの電極構造を示す模式的平面図である。
【図６】図６は、本発明の第２の実施形態に係るデュプレクサの電極構造を示す模式的平面図である。
【図７】図７は、第２の実施形態のデュプレクサの変形例を説明するための電極構造の模式的平面図である。
【図８】図８は、第２の実施形態のデュプレクサの他の変形例を説明するための電極構造の模式的平面図である。
【図９】図９は、本発明の第３の実施形態に係るデュプレクサの電極構造を示す模式的平面図である。
【図１０】図１０は、本発明の第４の実施形態に係るデュプレクサの電極構造を示す模式的平面図である。
【図１１】図１１は、本発明の第５の実施形態に係るデュプレクサの電極構造を示す模式的平面図である。
【図１２】図１２は、本発明の第６の実施形態に係るデュプレクサの電極構造を示す模式的平面図である。
【図１３】図１３は、本発明の第７の実施形態に係るデュプレクサの電極構造を示す模式的平面図である。
【図１４】図１４は、本発明の第８の実施形態に係るデュプレクサの電極構造を示す模式的平面図である。
【図１５】図１５は、本発明の第９の実施形態に係るデュプレクサの電極構造を示す模式的平面図である。
【図１６】図１６は、従来のデュプレクサの一例を説明するための模式的平面図である。
【図１７】図１７は、従来の縦結合共振子型弾性表面波フィルタの電極構造の一例を示す模式的平面図である。
【符号の説明】
【００３３】
１…デュプレクサ
２…圧電基板
３…アンテナ端子
４…送信側フィルタ
５…受信側フィルタ
６…入力端子
７…第１の受信出力端子
８…第２の受信出力端子
９…弾性表面波共振子
１１…第１のフィルタ素子
１２…第２のフィルタ素子
２１…縦結合共振子型弾性表面波フィルタ部
２１ａ〜２１ｃ…第１〜第３のＩＤＴ
２１ｄ，２１ｅ…反射器
２２…縦結合共振子型弾性表面波フィルタ部
２２ａ〜２２ｃ…第１〜第３のＩＤＴ
２２ｄ，２２ｅ…反射器
２３，２４…信号ライン
２５…縦結合共振子型弾性表面波フィルタ部
２５ａ〜２５ｃ…第１〜第３のＩＤＴ
２５ｄ，２５ｅ…反射器
２６…縦結合共振子型弾性表面波フィルタ部
２６ａ〜２６ｃ…第１〜第３のＩＤＴ
２６ｄ，２６ｅ…反射器
２７，２８…信号ライン
４１…デュプレクサ
４５…受信側フィルタ
４６…入力端子
５１…第１のフィルタ素子
５２…第２のフィルタ素子
５１ａ〜５１ｃ…第１〜第３のＩＤＴ
５１ｄ，５１ｅ…反射器
５２ａ〜５２ｃ…第１〜第３のＩＤＴ
５２ｄ，５２ｅ…反射器
６１…デュプレクサ
７１…デュプレクサ
８１…デュプレクサ
８２…受信側フィルタ
８３…入力端子
８４…縦結合共振子型弾性表面波フィルタ
８４ａ〜８４ｅ…第１〜第５のＩＤＴ
８４ｆ，８４ｇ…反射器
９１…デュプレクサ
９２…受信側フィルタ
９３…入力端子
９４…縦結合共振子型弾性表面波フィルタ
９４ａ〜９４ｅ…第１〜第５のＩＤＴ
９４ａ１，９４ａ２…第１，第２分割ＩＤＴ部
９４ｆ，９４ｇ…反射器
１０１…デュプレクサ
１０２…受信側フィルタ
１０３…入力端子
１０４…第１の縦結合共振子型弾性表面波フィルタ素子
１０４ａ〜１０４ｅ…第１〜第５のＩＤＴ
１０４ｆ，１０４ｇ…反射器
１０５…第２の縦結合共振子型弾性表面波フィルタ素子
１０５ａ〜１０５ｅ…第１〜第５のＩＤＴ
１０５ａ１，１０５ａ２…第１，第２分割ＩＤＴ部
１０５ｆ，１０５ｇ…反射器
１１１…デュプレクサ
１１２…受信側フィルタ
１１３…入力端子
１１４，１１５…第１，第２のフィルタ素子
１１４ａ〜１１４ｃ…第１〜第３のＩＤＴ
１１４ｄ，１１４ｅ…反射器
１１５ａ〜１１５ｃ…第１〜第３のＩＤＴ
１１５ｄ，１１５ｅ…反射器
１１６…第３のフィルタ素子
１１６ａ〜１１６ｃ…第１〜第３のＩＤＴ
１１６ｄ，１１６ｅ…反射器
１１７…第４のフィルタ素子
１１７ａ〜１１７ｃ…第１〜第３のＩＤＴ
１１７ｄ，１１７ｅ…反射器
１２１…デュプレクサ
１２２…受信側フィルタ
１２３…入力端子
１２４…第１のフィルタ素子
１２４ａ〜１２４ｃ…第１〜第３のＩＤＴ
１２４ａ１，１２４ａ２…第１，第２分割ＩＤＴ部
１２５…第２のフィルタ素子
１２５ａ〜１２５ｃ…第１〜第３のＩＤＴ
１２５ａ１，１２５ａ２…第１，第２分割ＩＤＴ部
１３１…デュプレクサ
１３２…受信側フィルタ
１３３…入力端子
１３４，１３５…第１，第２のフィルタ素子
１３４ａ〜１３４ｃ…第１〜第３のＩＤＴ
１３４ａ１，１３４ａ２…第１，第２分割ＩＤＴ部
１３５ａ〜１３５ｃ…第１〜第３のＩＤＴ
１３５ａ１，１３５ａ２…第１，第２分割ＩＤＴ部
１５１…デュプレクサ
１５２…受信側フィルタ
１５３…入力端子
１５４…第１のフィルタ素子
１５４ａ〜１５４ｃ…第１〜第３のＩＤＴ
１５５…第２のフィルタ素子
１５５ａ〜１５５ｃ…第１〜第３のＩＤＴ
Ｓ１〜Ｓ３…直列腕共振子
Ｐ１，Ｐ２…並列腕共振子
【発明を実施するための最良の形態】
【００３４】
以下、図面を参照しつつ、本発明の具体的な実施形態を説明することにより、本発明を明らかにする。【００３５】
（第１の実施例）
図１は、第１の実施例のバランス型デュプレクサの回路構成を説明するための模式的平面図である。本実施形態のデュプレクサ１は、ＣＤＭＡ８００方式の携帯電話機のデュプレクサとして用いられるものである。ＣＤＭＡ８００方式では、送信周波数帯域は８２４〜８４９ＭＨｚであり、受信周波数帯域は８６９〜８９４ＭＨｚである。【００３６】
バランス型デュプレクサ１では、圧電基板２上に図示の電極構造が形成されている。本実施形態では、圧電基板２は、４２°ＹカットＸ伝搬のＬｉＴａＯ３からなる。なお、本発明においては、圧電基板の材料は特に限定されない。他のカット角のＬｉＴａＯ３を用いてもよく、あるいはＬｉＮｂＯ３などの他の圧電材料からなる圧電基板を用いてもよい。【００３７】
バランス型デュプレクサ１は、アンテナに接続されるアンテナ端子３を有する。このアンテナ端子３に、送信側フィルタ４と受信側フィルタ５とが接続されている。送信側フィルタ４は、圧電基板上に複数の１ポート型弾性表面波共振子を設けることにより構成されたラダー型の帯域フィルタである。すなわち、送信側フィルタ４は、複数の直列腕共振子Ｓ１，Ｓ２，Ｓ３と、複数の並列腕共振子Ｐ１，Ｐ２とを有するラダー型回路構成の弾性表面波フィルタ装置である。【００３８】
なお、本実施形態では、送信側フィルタ４は、３個の直列腕共振子Ｓ１〜Ｓ３と２個の並列腕共振子Ｐ１，Ｐ２とを有するが、本発明において、ラダー型回路構成の送信側フィルタの回路構成はこれに限定されるものではない。すなわち、必要に応じて任意の数の直列腕共振子及び並列腕共振子を有するラダー型フィルタにより、送信側フィルタを構成することができる。【００３９】
いずれにしても、ラダー型回路構成の送信側フィルタと、受信側フィルタとを有するデュプレクサでは、送信側フィルタから比較的大きな電力が受信側フィルタ側に回り込みがちである。【００４０】
受信側フィルタ５は、入力端子６と、第１，第２の受信出力端子７，８とを有するバランス型の帯域フィルタである。入力端子６が、アンテナ端子３に接続されている。【００４１】
受信側フィルタ５では、入力端子６に、１ポート型弾性表面波共振子９の一端が接続されており、弾性表面波共振子９の他端に、第１，第２のフィルタ素子１１，１２の各一端が接続されている。第１，第２のフィルタ素子１１，１２は、圧電基板２上に複数のＩＤＴ電極を図示のように形成してなる構造を有する。第１のフィルタ素子１１は、第１，第２の縦結合共振子型弾性表面波フィルタ部２１，２２を縦続接続した構造を有する。第１の縦結合共振子型弾性表面波フィルタ部２１は、表面波伝搬方向に沿って順に配置された第２のＩＤＴ２１ｂ、第１のＩＤＴ２１ａ、第３のＩＤＴ２１ｃを有する。第１〜第３のＩＤＴ２１ａ〜２１ｃが設けられている領域の表面波伝搬方向両側に、反射器２１ｄ，２１ｅが配置されている。【００４２】
第２の縦結合共振子型弾性表面波フィルタ部２２も同様に構成されており、表面波伝搬方向に沿って順に配置された第２のＩＤＴ２２ｂ、第１のＩＤＴ２２ａ，第３のＩＤＴ２２ｃと、反射器２２ｄ，２２ｅとを有する。【００４３】
第１の縦結合共振子型弾性表面波フィルタ部２１の中央のＩＤＴ２１ａの一端が、１ポート型弾性表面波共振子９を介して入力端子６に接続されている。また、第２の縦結合共振子型弾性表面波フィルタ部２２の中央のＩＤＴ２２ａの一端が第１の受信出力端子７に接続されている。第１，第２の縦結合共振子型弾性表面波フィルタ部の第２，第３のＩＤＴ２１ｂ，２１ｃ，２２ｂ，２２ｃがそれぞれ信号ライン２３，２４により接続され、第１，第２の縦結合共振子型弾性表面波フィルタ部２１，２２が縦続接続されている。【００４４】
他方、第２のフィルタ素子１２も第１のフィルタ素子１１とほぼ同様に構成されており、２段縦続接続された第３，第４の縦結合共振子型弾性表面波フィルタ部２５，２６を有する。第３，第４の縦結合共振子型弾性表面波フィルタ部２５，２６は、それぞれ、表面波伝搬方向に沿って順に配置された第２のＩＤＴ２５ｂ，２６ｂ、第１のＩＤＴ２５ａ，２６ａ，第３のＩＤＴ２５ｃ，２６ｃと、反射器２５ｄ，２５ｅ，２６ｄ，２６ｅとを有する。そして、第３の縦結合共振子型弾性表面波フィルタ部２５の中央の第１のＩＤＴ２５ａの一端が、１ポート型弾性表面波共振子９を介して入力端子６に接続されており、第４の縦結合共振子型弾性表面波フィルタ部２６の中央のＩＤＴ２６ａの一端が第２の受信出力端子８に接続されている。また、第２のＩＤＴ２５ｂ，２６ｂが信号ライン２７により電気的に接続されており、第３のＩＤＴ２５ｃ，２６ｃが信号ライン２８により電気的に接続されており、それによって第３，第４の縦結合共振子型弾性表面波フィルタ部２５，２６が２段縦続接続されている。【００４５】
また、信号ライン２３，２４を流れる信号の位相に対し、信号ライン２７，２８を流れる信号は同相とされている。もっとも、第４の縦結合共振子型弾性表面波フィルタ部２６の入力信号に対する出力信号の位相は、第２の縦結合共振子型弾性表面波フィルタ部２２における入力信号に対する出力信号の位相に対し１８０度反転されるように構成されている。すなわち、第１のＩＤＴ２６ａの位相が、第１のＩＤＴ２２ａの位相に対して１８０度異ならされている。従って、第１，第２の受信出力端子７，８から一対の平衡出力信号を取り出すことができる。【００４６】
本実施形態では、縦続接続している信号ラインの一方と他方とにおいて流れる信号の位相が１８０度異なっている。より具体的には、第１のフィルタ素子１１において、信号ライン２３を流れる電気信号の位相と、信号ライン２４を流れる電気信号の位相とが１８０度異なっている。同様に、第２のフィルタ素子１２側においても、信号ライン２７を流れる信号の位相と、信号ライン２８を流れる信号の位相とが１８０度異なっている。従って、２段縦続接続構造における後段側の縦結合共振子型弾性表面波フィルタ部２２，２６の各中央の第１のＩＤＴ２２ａ，２６ａと、両側の第２，第３のＩＤＴ２２ｂ，２２ｃ，２６ｂ，２６ｃの隣り合う電極指の極性を等しくすることができる。それによって、第１の受信出力端子７と第２の受信出力端子８との間の振幅平衡度及び位相平衡度を高めることができる。従って、振幅平衡度及び位相平衡度の悪化による送信側フィルタ４と受信側フィルタ５とのアイソレーションの悪化を防止することができ、アイソレーションを高めることが可能となる。【００４７】
本実施形態では、１ポート型弾性表面波共振子９が入力端子６と、第１，第２のフィルタ素子１１，１２との間に直列に接続されているので、送信側フィルタ４における位相と、受信側フィルタ５における位相の整合を容易に図ることができる。すなわち、２つのフィルタの端子を共通化するには、一方のフィルタにおける他方のフィルタの通過帯域におけるインピーダンスは無限大となることが理想である。本実施形態のように、受信側フィルタ５において、１ポート型弾性表面波共振子９を入力端子と、第１，第２のフィルタ素子との間に直列に接続すると、送信側フィルタ４の通過帯域において、受信側フィルタ５のインピーダンスが高インピーダンス側にシフトする。従って、弾性表面波共振子９の容量値を適切に設定することにより、送信側フィルタ４と受信側フィルタ５との位相整合を図るための素子、例えば、インダクタンス、キャパシタンス、あるいはインピーダンス整合用伝送線路をあえて設けることなく、位相整合を図ることができる。従って、デュプレクサの小型化を図ることができ、かつデュプレクサの実装面積を低減することができ、携帯電話機の小型化を図ることができる。【００４８】
また、本実施形態のデュプレクサ１では、上記のように、送信側フィルタ４がラダー型回路構成を有するため、比較的大きな電力が受信側フィルタ５側に回り込みがちである。しかしながら、受信側フィルタ５では、入力端子６に並列に第１，第２のフィルタ素子１１，１２が接続されており、さらに、第１，第２のフィルタ素子１１，１２が、第１，第２の縦結合共振子型弾性表面波フィルタ部２１，２２あるいは第３，第４の縦結合共振子型弾性表面波フィルタ部２５，２６を２段縦続接続した構造を有する。従って、受信側フィルタ５の耐電力性が高められているため、電力の回り込みによる受信側フィルタ５の破壊が生じ難い。【００４９】
次に、具体的な実験例に基づき、本実施形態のデュプレクサの伝送特性を示す。【００５０】
上記デュプレクサ１を設計するにあたり、アンテナ端子３のインピーダンスを５０Ω、第１，第２の受信出力端子７，８のインピーダンスを２００Ωとした。図２の実線は、アンテナ端子３から受信出力端子７，８への伝送特性を示す。また、破線は、図３に示した従来例のデュプレクサの位相特性を示す。図３の従来例のデュプレクサ３１では、送信側フィルタ３４は、送信側フィルタ４と同様に構成されている。また、受信側フィルタ３５では、入力端子６に複数の縦結合共振子型弾性表面波フィルタ部２１，２５が、並列に接続されている点において上記実施形態と同様である。もっとも、平衡−不平衡変換機能を実現する構成が異なっている。すなわち、第２，第４の縦結合共振子型弾性表面波フィルタ部２２Ａ及び２６Ａの中央のＩＤＴの各一端を共通接続し、第１の受信出力端子７に接続しており、各他端を共通接続し、第２の受信出力端子８に電気的に接続している。この従来例のデュプレクサでは、図２の破線で示すように、通過帯域内における大きなリップルが生じている。これに対して、上記実施形態では、通過帯域内のリップルを効果的に低減することができる。【００５１】
次に、図４に、上記実施形態のデュプレクサの伝送特性を実線で、破線で、図５に示す比較例のデュプレクサの伝送特性を示す。【００５２】
なお、図５から明らかなように、比較例のデュプレクサ１２０１では、受信側フィルタ１２０５において、１ポート型弾性表面波共振子９の後段に、縦結合共振子型弾性表面波フィルタ部１２０６と、縦結合共振子型弾性表面波フィルタ部１２０７とが縦続接続されている。縦結合共振子型弾性表面波フィルタ部１２０６，１２０７は、図１７に示した従来の縦結合共振子型弾性表面波フィルタ部１０２１と同様に構成されている。その他の構成については、デュプレクサ１２０１は、デュプレクサ１と同様とされている。【００５３】
図４から明らかなように、上記比較例のデュプレクサ１２０１に比べて、上記実施形態によれば、通過帯域内における最大挿入損失が約０．５ｄＢ小さくされ得ることがわかる。これは、上記実施形態では、第１，第２のフィルタ素子１１，１２が並列接続されているため、同じインピーダンス比を実現するに際し、ＩＤＴにおける交差幅を約１／２とするとことができ、電極指抵抗による損失が低減したことによる。従って、本実施形態によれば、低損失の受信側フィルタを備えたデュプレクサを提供することができる。【００５４】
加えて、上記比較例のデュプレクサ１２０１では、送信側フィルタ４側から回り込んでくる電力が分散され難いため、受信側フィルタ１２０５における破壊が生じ易いのに対し、上記実施形態では、第１，第２のフィルタ素子１１，１２に回り込んできた電力が分散されるため、耐電力性が効果的に高めることが可能とされている。【００５５】
よって、本実施形態によれば、平衡−不平衡変換機能を有する受信側フィルタを備え、かつ受信側フィルタの耐電力性が効果的に高められた低損失のデュプレクサを提供することが可能となる。【００５６】
なお、本実施形態では、１つの圧電基板上に、送信側フィルタ４及び受信側フィルタ５が構成されるが、送信側フィルタ４及び受信側フィルタ５は、別々の圧電基板上に設けられてもよく、パッケージ内において送信側フィルタ４の出力端子と、受信側フィルタ５の入力端子と、アンテナ端子３に接続してもよい。【００５７】
（第２の実施例）
図６は、本発明の第２の実施形態に係るデュプレクサの電極構造を示す平面図である。デュプレクサ４１は、受信側フィルタ４５の構成が異なることを除いては、第１の実施形態のデュプレクサ１と同様に構成されている。【００５８】
受信側フィルタ４５では、入力端子４６に１ポート型弾性表面波共振子９が接続されており、１ポート型弾性表面波共振子９の後段に、第１，第２のフィルタ素子５１，５２が並列に接続されている。第１のフィルタ素子５１は、弾性表面波伝搬方向に沿って順に配置された第２のＩＤＴ５１ｂ、第１のＩＤＴ５１ａ及び第３のＩＤＴ５１ｃを有する縦結合共振子型の弾性表面波フィルタ素子である。第２のフィルタ素子５２も同様に、第２のＩＤＴ５２ｂ、第１のＩＤＴ５２ａ及び第３のＩＤＴ５２ｃが表面波伝搬方向においてこの順序で配置された縦結合共振子型の弾性表面波フィルタ素子である。【００５９】
本実施形態では、第２のフィルタ素子５２における入力信号に対する出力信号の位相が、第１のフィルタ素子５１における入力信号に対する出力信号の位相に対して１８０度異ならされており、それによって、平衡−不平衡変換機能が実現されている。より具体的には、第１のＩＤＴ５１ａの位相と第１のＩＤＴ５２ａの位相とが反転されて、平衡−不平衡変換機能が実現されている。【００６０】
第１のフィルタ素子５１の第２，第３のＩＤＴ５１ｂ，５１ｃが弾性表面波共振子９を介して入力端子４６に接続されており、第２のフィルタ素子５２の第２、第３のＩＤＴ５２ｂ，５２ｃが弾性表面波共振子９を介して入力端子４６に接続されている。そして、第１のＩＤＴ５１ａの一端が第１の受信出力端子７に、第２のフィルタ素子５２の第１のＩＤＴの５２ａの一端が第２の受信出力端子８に接続されている。【００６１】
本実施形態においても、入力端子４６に並列に第１，第２の縦結合共振子型弾性表面波フィルタ素子からなる第１，第２のフィルタ素子５１，５２が接続されているので、ラダー型回路構成を有する送信側フィルタ４側から電力が回り込んできたとしても、耐電力性が効果的に高められているため、受信側フィルタ４５の破壊が生じ難い。【００６２】
また、上記のようにして平衡−不平衡変換機能が実現されているので、入出力インピーダンス比を１より大きくすることができる。すなわち、入力インピーダンスを１とした場合、出力インピーダンスを１より大きくすることができる。従って、第１，第２の受信出力端子７，８を、後段の平衡入力に接続した際のインピーダンス整合を容易に図ることができる。【００６３】
また、入出力インピーダンス比が４であるため、低損失のデュプレクサ４１を提供することができる。なお、本実施形態では、第１のＩＤＴ５２ａの表面波伝搬方向両端において直列重み付けが施されている。これは、第１，第２の受信出力端子７，８間の振幅平衡度及び位相平衡度の悪化を防止するためである。すなわち、ＩＤＴ５２ａの極性は、ＩＤＴ５１ａの極性に対して反転されているが、このような構成では、中央のＩＤＴと、両側のＩＤＴとの間で隣り合う電極指の極性が、第１のフィルタ素子５１側と第２のフィルタ素子５２側とで異なることになり、振幅平衡度及び位相平衡度が悪化することによる。すなわち、直列重み付けを施すことにより、ＩＤＴ５２側における中央のＩＤＴ５２ａと、両側のＩＤＴ５２ｂ，５２ｃとの隣り合う電極指の極性の関係を、できるだけＩＤＴ５１側における中央のＩＤＴ５１ａと、両側のＩＤＴ５１ｂ，５１ｃとで隣り合う電極指との極性関係に近づけることができ、それによって、振幅平衡度及び位相平衡度の悪化を抑制することが可能とされている。【００６４】
なお、図６では、第２，第３のＩＤＴ５１ｂ，５１ｃ及び第２，第３のＩＤＴ５２ｂ，５２ｃが入力端子４６に接続されていたが、中央の第１のＩＤＴ５１ａ及び５２ａを入力端子４６に接続してもよい。その場合には、ＩＤＴ５１ｂ，５１ｃを共通接続し、第１の受信出力端子７に接続し、ＩＤＴ５２ｂ，５２ｃを共通接続し、第２の受信出力端子８に接続すればよい。【００６５】
また、図７は、第２のデュプレクサ４１の変形例を示す。この変形例のデュプレクサ６１では、第１，第２のフィルタ素子６２，６３は、５ＩＤＴ型の縦結合共振子型弾性表面波フィルタ素子で構成されている。このように、第１，第２のフィルタ素子を、５ＩＤＴ型の縦結合共振子型弾性表面波フィルタ素子６２，６３により構成してもよい。【００６６】
さらに、図８は、デュプレクサ４１の他の変形例に係るデュプレクサ７１を模式的に示す平面図である。【００６７】
デュプレクサ７１では、第１のフィルタ素子７２が、複数の３ＩＤＴ型の縦結合共振子型弾性表面波フィルタ７２ａ，７２ｂを並列接続した構造を有する。同様に、第２のフィルタ素子７３においても、複数の３ＩＤＴ型の縦結合共振子型弾性表面波フィルタ素子７３ａ，７３ｂが並列接続されている。このように、第１，第２のフィルタ素子は、それぞれ、複数個の縦結合共振子型弾性表面波フィルタを並列接続した構造であってもよい。【００６８】
（第３の実施形態）
図９は、第３の実施形態に係るデュプレクサの電極構造を模式的に平面図である。デュプレクサ８１では、受信側フィルタ８２が受信側フィルタ５と異なることを除いては、第１の実施形態のデュプレクサ１と同様に構成されている。【００６９】
受信側フィルタ８２は、入力端子８３と、第１，第２の受信出力端子７，８とを有する。入力端子８３に、１ポート型弾性表面波共振子９の一端が接続されている。１ポート型弾性表面波共振子９の他端に、５ＩＤＴ型の縦結合共振子型フィルタ素子８４が接続されている。５ＩＤＴ型の縦結合共振子型フィルタ素子８４は、圧電基板上に、弾性表面波伝搬方向に順に第４のＩＤＴ８４ｄ、第２のＩＤＴ８４ｂ、第１のＩＤＴ８４ａ、第３のＩＤＴ８４ｃ、第５のＩＤＴ８４ｅを配置した構造を有する。ＩＤＴ８４ａ〜８４ｅが設けられている領域の表面波伝搬方向両側に第１，第２の反射器８４ｆ，８４ｇが配置されている。【００７０】
ここでは、第２のＩＤＴ８４ｂの位相が、第３のＩＤＴ８４ｃの位相に対して１８０度異ならされている。従って、第２のＩＤＴ８４ｂに接続された第１の受信出力端子７と、第３のＩＤＴ８４ｃに接続された第２の受信出力端子８とから一対の平衡出力を取り出すことが可能とされている。【００７１】
なお、第１，第４及び第５のＩＤＴ８４ａ，８４ｄ，８４ｅの一端が、共通接続され、上記１ポート型弾性表面波共振子９を介して入力端子８３に接続されている。【００７２】
本実施形態においても、入力インピーダンス：出力インピーダンスの比が１：４とされており、従って、次段の平衡入力に接続した場合のインピーダンスマッチングを容易に図ることができる。加えて、５ＩＤＴ型の縦結合共振子型弾性表面波フィルタ素子８４では、ＩＤＴにおける電極指の対数の合計が３ＩＤＴ型の縦結合共振子型弾性表面波フィルタに比べて多くなるため、交差幅を小さくすることができ、より一層の低損失化を図ることができる。加えて、入力端子８３には、３個のＩＤＴ８４ａ，８４ｄ，８４ｅが並列に接続されているので、送信側フィルタ４側から回り込んできた電力が分散され、耐電力性が効果的に高められている。【００７３】
（第４の実施形態）
図１０は、本発明の第４の実施形態に係るデュプレクサの電極構造を模式的に示す平面図である。【００７４】
第４の実施形態のデュプレクサ９１では、受信側フィルタ９２が、受信側フィルタ５と異なることを除いては、デュプレクサ１と同様に構成されている。受信側フィルタ９２では、入力端子９３に、１ポート型弾性表面波共振子９の一端が接続されており、１ポート型弾性表面波共振子９の他端に、縦結合共振子型弾性表面波フィルタ素子９４が接続されている。縦結合共振子型弾性表面波フィルタ素子９４は、５ＩＤＴ型の縦結合共振子型弾性表面波フィルタ素子であり、圧電基板上に、表面波伝搬方向に沿って順に、第４のＩＤＴ９４ｄ，第２のＩＤＴ９４ｂ，第１のＩＤＴ９４ａ，第３のＩＤＴ９４ｃ及び第５のＩＤＴ９４ｅを配置した構造を有する。ＩＤＴ９４ａ〜９４ｅが設けられている領域の表面波伝搬方向両側に第１，第２の反射器９４ｆ，９４ｇが配置されている。【００７５】
もっとも、ここでは、第２のＩＤＴ９４ｂの一端と、第３のＩＤＴ９４ｃの一端とが共通接続され、１ポート型弾性表面波共振子９を介して入力端子９３に接続されている。他方、中央の第１のＩＤＴ９４ａは、表面波伝搬方向に２分割されて設けられた第１，第２の分割ＩＤＴ部９４ａ１，９４ａ２を有する。そして、第２の分割ＩＤＴ部９４ａ１と第４のＩＤＴ部９４ｄとが共通接続され、第１の受信出力端子７に接続されている。また、第２分割ＩＤＴ部９４ａ２と、第５のＩＤＴ９４ｅとが共通接続され、第２の受信出力端子８に接続されている。【００７６】
本実施形態においても、受信側フィルタ９２において、入力インピーダンスと出力インピーダンスとの比を１：４とすることができ、次段の平衡入力とのインピーダンス整合を容易に図ることができる。また、本実施形態においても、５ＩＤＴ型の縦結合共振子型弾性表面波フィルタ素子９４を用いているため、第３の実施形態と同様に、低損失化を図ることができる。【００７７】
そして、本実施形態においても、入力端子９３に、複数のＩＤＴ９４ｂ，９４ｃが並列に接続されているため、耐電力性を高めることが可能とされている。【００７８】
（第５の実施形態）
図１１は、本発明の第５の実施形態に係るデュプレクサの電極構造を示す模式的平面図である。【００７９】
第５の実施形態に係るデュプレクサ１０１では、受信側フィルタ１０２が受信側フィルタ５と異なることを除いては、第１の実施形態のデュプレクサ１と同様に構成されている。受信側フィルタ１０２は、入力端子１０３と、第１，第２の受信出力端子７，８とを有する。入力端子１０３に、１ポート型弾性表面波共振子９の一端が接続されている。１ポート型弾性表面波共振子９の他端に、５ＩＤＴ型の第１の弾性表面波フィルタ素子１０４の一端が接続されている。第１の弾性表面波フィルタ素子１０４は、表面波伝搬方向に沿って順に第４のＩＤＴ１０４ｄ，第２のＩＤＴ１０４ｂ，第１のＩＤＴ１０４ａ，第３のＩＤＴ１０４ｃ及び第５のＩＤＴ１０４ｅを有する。ＩＤＴ１０４ａ〜ＩＤＴ１０４ｅが設けられている部分の表面波伝搬方向両側に第１，第２の反射器１０４ｆ，１０４ｇが配置されている。第１の縦結合共振子型弾性表面波フィルタ素子１０４の第１，第４及び第５のＩＤＴ１０４ａ，１０４ｄ，１０４ｅの各一端が共通接続され、１ポート型弾性表面波共振子９を介して入力端子１０３に接続されている。他方、第１の縦結合共振子型弾性表面波フィルタ素子１０４の後段に、第２の弾性表面波フィルタ素子１０５が接続されている。第２の弾性表面波フィルタ素子１０５は、表面波伝搬方向に沿って順に第４のＩＤＴ１０５ｄ、第２のＩＤＴ１０５ｂ、第１のＩＤＴ１０５ａ、第３のＩＤＴ１０５ｃ及び第５のＩＤＴ１０５ｅを配置した構造を有する。第１〜第５のＩＤＴ１０５ａ〜１０５ｅが設けられている部分の表面波伝搬方向両側に第１，第２の反射器１０５ｆ，１０５ｇが配置されている。【００８０】
ここでは、第２，第３のＩＤＴ１０５ｂ，１０５ｃが、それぞれ、信号ライン１０６，１０７により、第１の弾性表面波フィルタ素子１０４の第２，第３のＩＤＴ１０４ｂ，１０４ｃに接続されている。それによって、第１，第２の弾性表面波フィルタ素子１０４，１０５が２段縦続接続されている。【００８１】
他方、第１のＩＤＴ１０５ａは、表面波伝搬方向両側に沿って２分割することにより設けられた第１分割ＩＤＴ部１０５ａ１，第２分割ＩＤＴ部１０５ａ２を有する。第１分割ＩＤＴ部１０５ａ１の一端と、第４のＩＤＴ１０５ｄの一端とが共通接続されて、第１の受信出力端子７に接続されている。第２分割ＩＤＴ部１０５ａ２の一端と第５のＩＤＴ１０５ｅの一端とが共通接続されて、第２の受信出力端子８に接続されている。【００８２】
本実施形態においても、入力端子１０３側のインピーダンスと、第１，第２の受信出力端子７，８側の出力インピーダンスとの比を１：４とすることができ、次段の平衡入力の接続に際してのインピーダンス整合を容易に図ることができる。【００８３】
また、５ＩＤＴ型の弾性表面波フィルタ素子１０４，１０５を用いているため、電極指交差幅を小さくすることができ、低損失化を図ることができる。【００８４】
加えて、本実施形態においても、入力端子１０３に、複数のＩＤＴ１０４ａ，１０４ｄ，１０４ｅが接続されているので、耐電力性が高められている。【００８５】
さらに、信号ライン１０６を流れる信号の位相と、信号ライン１０７を流れる信号の位相とが反転するように構成されているので、第１，第２の受信出力端子７，８間の振幅平衡度及び位相平衡度を高めることが可能とされている。【００８６】
なお、ＩＤＴ１０４ｃの表面波伝搬方向両側部分には直列重み付けが施されている。これは、前述したＩＤＴ８４ｃの場合と同様に、受信出力端子７，８間の平衡度の悪化を防止するためである。【００８７】
（第６の実施形態）
図１２は、本発明の第６の実施形態に係るデュプレクサの電極構造を示す模式的平面図である。【００８８】
本実施形態のデュプレクサ１１１では、受信側フィルタ１１２は、入力端子１１３と、第１，第２の受信出力端子７，８とを有する。入力端子１１３に、１ポート型弾性表面波共振子９の一端が接続されている。１ポート型弾性表面波共振子９の他端には、第１〜第４のフィルタ素子１１４〜１１７が接続されている。第１〜第４のフィルタ素子１１４〜１１７は、それぞれ、表面波伝搬方向に沿って順に配置された３個のＩＤＴ、すなわち第２のＩＤＴ１１４ｂ〜１１７ｂ、第１のＩＤＴ１１４ａ〜１１７ａ及び第３のＩＤＴ１１４ｃ〜１１７ｃと、反射器１１４ｄ，１１４ｅ〜１１７ｄ，１１７ｅを有する３ＩＤＴ型の縦結合共振子型弾性表面波フィルタ素子である。【００８９】
他方、入力端子１１３には、第１〜第４のフィルタ素子１１４〜１１７の、第２，第３のＩＤＴ１１４ｂ，１１４ｃ〜１１７ｂ，１１７ｃの一端が共通接続されている。他方、第１のフィルタ素子１１４の中央の第１のＩＤＴ１１４ａの一端と、第３のフィルタ素子１１６の中央の第１のＩＤＴ１１６ａの一端とが接続されており、ＩＤＴ１１６ａの他端が第１の受信出力端子７に接続されている。同様に、第２のフィルタ素子１１５の中央のＩＤＴ１１５ａの一端と、第２のフィルタ素子１１７の中央のＩＤＴ１１７ａの一端とが接続されており、ＩＤＴ１１７ａの他端が第２の受信出力端子８に接続されている。【００９０】
ここで、ＩＤＴ１１５ａ，１１７ａの位相は、ＩＤＴ１１４ａ，１１６ａの位相に対して反転されている。従って、第１，第２の受信出力端子７，８から一対の平衡出力信号を取り出すことができる。なお、ＩＤＴ１１５ａ，１１７ａの表面波伝搬方向両側には直列重み付けが施されている。これは、前述した第３の実施形態におけるＩＤＴ８４ｃの場合と同様に、第１，第２の受信出力端子７，８間の平衡度の悪化を防止するためである。【００９１】
第６の実施形態においても、入力端子１１３に対し、複数のＩＤＴ１１４ｂ，１１４ｃ〜１１７ｂ，１１７ｃが並列に接続されているため、耐電力性を効果的に高めることができる。【００９２】
なお、本実施形態では、受信側フィルタ１１２の入力インピーダンスと出力インピーダンスとの比は１：１６とすることができ、入出力インピーダンス比を非常に大きくすることができる。【００９３】
加えて、第１〜第４のフィルタ素子１１４〜１１７が並列に接続されているので、低損失化を図ることも可能である。【００９４】
なお、本実施形態では、第２，第３のＩＤＴ１１４ｂ，１１４ｃ〜１１７ｂ，１１７ｃを入力端子１１３に接続していたが、ＩＤＴ１１４ｂ，１１４ｃと、ＩＤＴ１１６ｂ，１１６ｃとを直列に接続し、ＩＤＴ１１６ｂ，１１６ｃの各一端を共通接続して、第１の受信出力端子７に接続し、他方、ＩＤＴ１１５ｂ，１１５ｃと、ＩＤＴ１１７ｂ，１１７ｃとを直列に接続し、ＩＤＴ１１７ｂ，１１７ｃの各一端を共通接続し、第２の受信出力端子８に接続してもよい。その場合には、入力端子１１３に、第１のＩＤＴ１１４ａ〜１１７ａを接続すればよい。【００９５】
（第７の実施形態）
図１３は、本発明の第７の実施形態に係るデュプレクサの電極構造を示す模式的平面図である。第７の実施形態のデュプレクサ１２１では、受信側フィルタ１２２は、入力端子１２３と、第１，第２の受信出力端子７，８とを有する。入力端子１２３に、１ポート型弾性表面波共振子９の一端が接続されており、１ポート型弾性表面波共振子９の他端に、第１，第２のフィルタ素子１２４，１２５が接続されている。第１のフィルタ素子１２４は、弾性表面波伝搬方向に沿って順に第２のＩＤＴ１２４ｂ、第１のＩＤＴ１２４ａ及び第３のＩＤＴ１２４ｃが設けられている３ＩＤＴ型の縦結合共振子型弾性表面波フィルタである。第２のフィルタ素子１２５も同様に、第２のＩＤＴ１２５ｂ、第１のＩＤＴ１２５ａ及び第３のＩＤＴ１２５ｃが表面波伝搬方向に順に配置された３ＩＤＴ型の縦結合共振子型弾性表面波フィルタである。【００９６】
ここでは、第１のフィルタ素子１２４の第２，第３のＩＤＴ１２４ｂ，１２４ｃの各一端が共通接続され、１ポート型弾性表面波共振子９を介して入力端子１２３に接続されている。中央の第１のＩＤＴ１２４ａは、表面波伝搬方向と直交する方向に２分割されて、第１，第２の分割ＩＤＴ部１２４ａ１，１２４ａ２を有する。そして、第１分割ＩＤＴ部１２４ａ１の一端がグラウンド電位に接続されており、他端が第２分割ＩＤＴ部１２４ａ２に接続されており、第２分割ＩＤＴ部１２４ａ２が第１の受信出力端子７に接続されている。【００９７】
他方、第２のフィルタ素子１２５においては、第２，第３のＩＤＴ１２５ｂ，１２５ｃの一端が共通接続されて、１ポート型弾性表面波共振子９を介して入力端子１２３に接続されている。中央のＩＤＴ１２５ａは、表面波伝搬方向と直交する方向に２分割されて設けられた第１分割ＩＤＴ部１２５ａ１及び第２分割ＩＤＴ部１２５ａ２を有する。ここでは、第１分割ＩＤＴ部１２５ａ１の一端がグラウンド電位に接続されており、他端が第２分割ＩＤＴ部１２５ａ２に接続されており、第２分割ＩＤＴ部１２５ａ２が第２の受信出力端子８に接続されている。【００９８】
また、第１のＩＤＴ１２５ａの位相は、第１のＩＤＴ１２４ａの位相に対して反転されている。従って、第１，第２の受信出力端子７，８から一対の平衡出力信号を取り出すことができる。【００９９】
なお、第１のＩＤＴ１２５ａにおいては、分割ＩＤＴ部１２５ａ１，１２５ａ２の表面波伝搬方向両端は、図示のように直列重み付けが施されている。これは、第１，第２の受信出力端子７，８間の振幅平衡度及び位相平衡度の悪化を防止するためである。【０１００】
本実施形態においても、受信側フィルタ１２２においては、入力端子１２３におけるインピーダンスと、第１，第２の受信出力端子７，８における出力インピーダンスとの比を１：１６とすることが可能とされている。また、入力端子１２３に第１，第２のフィルタ素子１２４，１２５が並列接続されているため、低損失化かつ高耐電力性を実現し得るデュプレクサが構成されている。【０１０１】
なお、図１３では、中央に配置されている第１のＩＤＴ１２４ａ及び１２５ａは、第１，第２の受信出力端子７，８にそれぞれ電気的に接続されていたが、これらを逆に、１ポート型弾性表面波共振子９を介して入力端子１２３に接続してもよい。その場合には、ＩＤＴ１２４ｂ，１２４ｃの各他端を共通接続して第１の受信出力端子７に、ＩＤＴ１２５ｂ，１２５ｃの各他端を共通接続し、第２の受信出力端子８に接続すればよい。【０１０２】
また、ＩＤＴ１２４ｂ，１２４ｃ，１２５ｂ，１２５ｃを第１または第２の受信出力端子７，８に接続する場合には、これらのＩＤＴ１２４ｂ，１２４ｃ，１２５ｂ，１２５ｃを交差幅方向に２分割し、第１，第２の分割ＩＤＴ部を有するように構成してもよい。【０１０３】
（第８の実施形態）
図１４は、第８の実施形態に係るデュプレクサの電極構造を示す模式的平面図である。デュプレクサ１３１では、受信側フィルタ１３２が、入力端子１３３を有する。入力端子１３３に、１ポート型弾性表面波共振子９の一端が接続されている。１ポート型弾性表面波共振子９の他端には、第１，第２のフィルタ素子１３４，１３５が接続されている。従って、第８の実施形態のデュプレクサ１３１の受信側フィルタ１３２は、図６に示した受信側フィルタ４５と類似した構造を有する。もっとも、図６に示した受信側フィルタ４５では、３ＩＤＴ型の縦結合共振子型弾性表面波フィルタ５１，５２の中央のＩＤＴ５１ａ，５２ａが受信出力端子７，８にそれぞれ接続されていた。【０１０４】
これに対して、本実施形態では、３ＩＤＴ型の縦結合共振子型弾性表面波フィルタからなる第１，第２のフィルタ素子１３４，１３５において、中央の第１のＩＤＴ１３４ａ，１３５ａが、表面波伝搬方向に２分割することにより設けられた第１分割ＩＤＴ部１３４ａ１，１３５ａ１と、第２分割ＩＤＴ部１３４ａ２，１３５ａ２とを有する。そして、第１分割ＩＤＴ部１３４ａ１が第１の受信出力端子７に、第１の分割ＩＤＴ部１３５ａ１が第２の受信出力端子８に接続されている。第２分割ＩＤＴ部１３４ａ２，１３５ａ２は、グラウンド電位に接続されている。【０１０５】
そして、第１のフィルタ素子１３４では、第２のＩＤＴ１３４ｂの第１のＩＤＴ１３４ａ側端部において直列重み付けが施されており、これは、第１，第２の受信出力端子７，８間の平衡度の悪化を防止するためである。【０１０６】
本実施形態においては、ＩＤＴ１３４ｂ，１３４ｃの位相が、ＩＤＴ１３５ｂ，１３５ｃの位相とそれぞれ反転されている。従って、受信出力端子７，８から一対の平衡出力信号を取り出すことができる。本実施形態においても、入力端子１３３のインピーダンスと受信出力端子７，８側のインピーダンスの比を１：１６とすることができる。従って、次段の平衡入力端子に接続した場合、インピーダンスマッチングを容易に図ることができる。【０１０７】
また、本実施形態においても、入力端子１３３には、複数のＩＤＴ１３４ｂ，１３４ｃ，１３５ｂ，１３５ｃが並列に接続されているため、耐電力性を高めることができる。【０１０８】
（第９の実施形態）
図１５は、本発明の第９の実施形態に係るデュプレクサの電極構造を示す模式的平面図である。【０１０９】
デュプレクサ１５１では、図６に示した第２の実施形態のデュプレクサとほぼ同様に構成されている。但し、デュプレクサ１５１は、受信側フィルタ１５２を有する。受信側フィルタ１５２は、入力端子１５３と、第１，第２の受信出力端子７，８とを有する。そして、入力端子１５３に１ポート型弾性表面波共振子９の一端が接続されており、１ポート型弾性表面波共振子９の他端に、第１，第２のフィルタ素子１５４，１５５が接続されており、第１，第２のフィルタ素子１５４，１５５は、それぞれ、３ＩＤＴ型の縦結合共振子型弾性表面波フィルタであり、かつそれぞれ、第１，第２の受信出力端子７，８に接続されている。ここまでは、弾性表面波フィルタ受信側フィルタ１５２は、受信側フィルタ４５と同様の構成を有している。【０１１０】
もっとも、本実施形態では、第１のフィルタ素子１５４及び第２のフィルタ素子１５５において、弾性表面波伝搬方向に沿って順に、第２のＩＤＴ１５４ｂ，第１のＩＤＴ１５４ａ，第３のＩＤＴ１５４ｃを有するが、中央の第１のＩＤＴ１５４ａの一端に、弾性表面波共振子９を介して入力端子１５３が接続されている。そして、第２，第３のＩＤＴ１５４ｂ，１５４ｃの各一端が共通接続されており、第２のＩＤＴ１５４ｂの他端が第１の受信出力端子７に接続されており、第３のＩＤＴ１５４ｃの他端は、グラウンド電位に接続されている。【０１１１】
また、第２のフィルタ素子１５５側においても、中央の第１のＩＤＴ１５５ａの一端が１ポート型弾性表面波共振子９を介して入力端子１５３に接続されている。そして、両側の第２，第３のＩＤＴ１５５ｂ，１５５ｃの各一端が共通接続されており、第２のＩＤＴ１５５ｂの他端が第２の受信出力端子８に接続されており、第３のＩＤＴ１５５ｃの他端がグラウンド電位に接続されている。【０１１２】
従って、第１，第２の受信出力端子７，８は、それぞれ、第１のＩＤＴ１５４ａ，１５５ａではなく、第２のＩＤＴ１５４ｂ，１５５ｂに接続されている。本実施形態においても、受信側フィルタ１５２において入力端子１５３側のインピーダンスと、第１，第２の受信出力端子７，８側のインピーダンスを１：１以上とされており、より具体的には１：１６とされている。次段に接続される回路の平衡入力端子とのインピーダンスマッチングを容易に図ることができる。【０１１３】
本実施形態においても、複数のＩＤＴ１５４ａ，１５５ａが、入力端子１５３に並列に接続されているので、耐電力性を高めることが可能とされている。【０１１４】
なお、第１，第２の受信出力端子７，８は、第２のＩＤＴ１５４ｂ，１５５ｂではなく、第３のＩＤＴ１５４ｃ，１５５ｃの一端にそれぞれ接続されていてもよく、その場合には、第２のＩＤＴ１５４ｂ，１５５ｂの他端をグラウンド電位に接続すればよい。
【図１】
0004725647.tif 000002
【図２】
0004725647.tif 000003
【図３】
0004725647.tif 000004
【図４】
0004725647.tif 000005
【図５】
0004725647.tif 000006
【図６】
0004725647.tif 000007
【図７】
0004725647.tif 000008
【図８】
0004725647.tif 000009
【図９】
0004725647.tif 000010
【図１０】
0004725647.tif 000011
【図１１】
0004725647.tif 000012
【図１２】
0004725647.tif 000013
【図１３】
0004725647.tif 000014
【図１４】
0004725647.tif 000015
【図１５】
0004725647.tif 000016
【図１６】
0004725647.tif 000017
【図１７】
0004725647.tif 000018